(57)【要約】【課題】包装容器自体に緩衝及び固定用の構造を具備し、様々な形状の収納物品にも対応可能な包装容器を提供する。【解決手段】容器の開口部の対向する2辺に、それぞれ前記開口部の内側に折り込まれるフラップが連接され、前記フラップが連接される2辺に挟まれた1辺には前記開口部を塞ぐ蓋板が連接されている、一枚で形成される包装容器において、前記フラップのうち少なくとも１つの前記フラップは切り込み部を有し、収納物品は前記切込み部に拘持されることを特徴とする包装容器であり、フラップは、対向する複数の前記切り込み部に挟まれた領域に折り曲げ部を有していても良い。【選択図】  図１
2010018308.tif 000002
【特許請求の範囲】
【請求項１】
容器の開口部の対向する2辺に、それぞれ前記開口部の内側に折り込まれるフラップが連接され、前記フラップが連接される2辺に挟まれた1辺には前記開口部を塞ぐ蓋板が連接されている、一枚の部材で形成される包装容器において、
前記フラップのうち少なくとも１つの前記フラップは切り込み部を有し、収納物品は前記切込み部に拘持されることを特徴とする包装容器。
【請求項２】
前記フラップは、対向する複数の前記切り込み部に挟まれた領域に折り曲げ部を有し、前記切込み部及び前記折り曲げ部が収納物品を拘持することを特徴とする請求項１記載の包装容器。
【請求項３】
複数の前記切り込み部若しくは折り曲げ部で囲まれる領域は前記フラップの内部であることを特徴とする請求項１又は２に記載の包装容器。
【発明の詳細な説明】
【技術分野】
【０００１】
本発明は、ダンボール紙や板紙等の紙を折り曲げて組み立てる収納物品緩衝機能付き包装容器に関する。
【背景技術】
【０００２】
従来、ダンボール紙や板紙等の紙を折り曲げて組み立てる包装容器において、収納物品の緩衝及び固定手段として、発泡スチロール製ブロック若しくは合成樹脂製クッションシートを包装容器内に配置する、収納物品を被包する等の方法があった。
【０００３】
しかし、発泡スチロールや合成樹脂製クッションシートは、廃棄物として焼却する際に有毒ガスを発生するため、環境面で大きな問題があった。
【０００４】
そこで近年、上記緩衝固定材に代えて、ダンボール等を折り曲げて収納物品形状に対応する緩衝固定具材を内蓋として用い、収納物品を嵌合させた状態で外装容器に収容させる方法が提案されている（特許文献１）。
【０００５】
さらに、包装容器自体に収納物品形状に嵌合するような緩衝及び固定用の構造を付加させる方法も提案されている（特許文献２）。
【特許文献１】特開２００８−２４３２２号公報
【特許文献２】実開平６−２２２１８号公報
【発明の開示】
【発明が解決しようとする課題】
【０００６】
特許文献１で開示されているように緩衝固定具材を内蓋として使用する場合、包装容器とは別に、収納物品の形状に合わせた緩衝固定具材を作らねばならず、組み立てた包装容器に単純に物品を収納するのに比べて、製造工程及び材料が増えるため、費用面からも製造の効率面からも問題があった。
【０００７】
また、特許文献２で開示されているように包装容器自体に緩衝及び固定用の構造を付加させる場合も、これまでは、収納物品の形状に合わせた構造にする必要があり、収納物品の形状が異なる場合にはその都度異なる包装容器を製造しなければならないという問題があった。
【０００８】
本発明はこのような事情に鑑みてなされたものであり、包装容器自体に緩衝及び固定用の構造を具備し、様々な形状の収納物品にも対応可能な包装容器を提供することを課題とする。
【課題を解決するための手段】
【０００９】
上記課題を解決するための請求項１の発明は、容器の開口部の対向する2辺に、それぞれ前記開口部の内側に折り込まれるフラップが連接され、前記フラップが連接される2辺に挟まれた1辺には前記開口部を塞ぐ蓋板が連接されている、一枚の部材で形成される包装容器において、前記フラップのうち少なくとも１つの前記フラップは切り込み部を有し、収納物品は前記切込み部に拘持されることを特徴とする包装容器である。
ここで、拘持するとは、動かないように拘束した状態で支持することをいう。
【００１０】
また、請求項２の発明は、前記フラップは、対向する複数の前記切り込み部に挟まれた領域に折り曲げ部を有し、前記切込み部及び前記折り曲げ部が収納物品を拘持することを特徴とする請求項１記載の包装容器である。
【００１１】
さらに、請求項３の発明は、複数の前記切り込み部若しくは折り曲げ部で囲まれる領域は前記フラップの内部であることを特徴とする請求項１又は２に記載の包装容器である。
【発明の効果】
【００１２】
請求項１に記載の発明によれば、フラップに形成された切り込み部によって作られる空間に物品を収納する際に、切り込み部が水平より下向きに傾き、収納物品の形状に合う位置で収納物品を拘持することができるので、板バネの作用すなわち剛性力により様々な形状の物品を嵌装することができるようになる。
【００１３】
また、請求項２に記載の発明によれば、切り込み部に加え、折り曲げ部を利用して収納物品を拘持することもできることにより、折り曲げ部の幅の分だけ、対応可能な収納物品の形状範囲が広がるため、さらに様々な形状の物品を嵌装することができるようになる。
【００１４】
さらに、請求項３に記載の発明によれば、収納物品を嵌装する位置を２枚のフラップの間に限らず、１枚のフラップで１つ以上の収納物品を嵌装することができるようになり、１つの包装容器に様々な形状の物品を複数嵌装することもできるようになる。
【発明を実施するための最良の形態】
【００１５】
以下に、本発明を実施するための最良の形態について図面を参照しながら説明する。
【００１６】
図１（ａ）は、本実施例に係る包装容器１の展開図の一例である。ダンボール紙、板紙等の一枚の紙で構成され、側板６に連接されているフラップ２は切り込み部７及び折り曲げ部３を有している。
そして、図１（ｂ）は、図１（ａ）を組み立てた時の包装容器１の斜視図である。２枚のフラップ２の切り込み部７及び折り曲げ部３が対向する向きになるように配置され、フラップ２の上から蓋部４が覆うようになっている。
【００１７】
フラップ２に形成する切り込み部若しくは折り曲げ部の形状は、図１の例に限らず、図２（ａ）に示すような矩形形の切り込み部、図２（ｂ）に示すような半円形切り込み部、図２（ｃ）に示すような三角形状の切り込み部、図２（ｄ）に示すような台形状の切り込み部、図２（ｅ）に示すような２本の切り込み部７及び折り曲げ部３、若しくは、図２（ｆ）に示すように切り込み部及び折り曲げ部をフラップ２の内部に形成するようにしても良い。
また、図２（ｆ）に示す切り抜き部８を設けないようにしても良いし、図２（ｂ）乃至図２（ｄ）の切り込み部に挟まれた領域に折り曲げ部を設けても良く、さらに、切り込み部の形状をここで挙げない形状にしても良い。
【００１８】
本発明に係る包装容器１に物品９を収納する際、図３（ａ）のように、矩形状の切り込み部が形成された２枚のフラップ２を有する包装容器１の場合には、物品９を包装容器１の開口部上方よりフラップ２を押し下げるようにして収納する（図３（ｃ））。
このとき物品９は、上方から見たときには図３（ｂ）に示すように、切り込み部７が物品９の側面に密着する位置で三方の切り込み部７によって拘持される。切り込み部７を有するフラップ２には、先端方向が押し下げられた状態から、水平へ戻ろうとする剛性力が働くことにより、横方向への物品９の動きを防止し、固定する。また、物品９の前後にもフラップ２の一部があてがわれていることにより、物品９の前後への動きも防止することができる。
【００１９】
フラップ２が物品９の形状に合う位置まで押し下げられて物品９を嵌装することにより、物品９の形状は１つに限定されず、複数種類の物品９を同一形状の包装容器１に収納することが可能となる。
【００２０】
また、図４（ａ）に示すようにフラップ２に切り込み部７及び折り曲げ部３が形成されている包装容器１の場合、物品９は、包装容器１の開口部情報より、折り曲げ部３を押し下げるようにして収納される（図４（ｃ））。
このとき物品９は、上方から見たときには図４（ｂ）に示すように、物品９に対して左右にある折り曲げ部３の先端が物品９の側面に密着する位置で、切り込み部７及び折り曲げ部３によって拘持される。折り曲げ部３には、先端方向が押し下げられた状態から水平へ戻ろうとする剛性力が働くことにより、横方向への物品９の動きを防止し、固定する。また、物品９の前後にも、フラップ２の一部があてがわれていることにより、物品９の前後への動きも防止することができる。
【００２１】
物品９を収納した際、折り曲げ部３は、物品９の側面に沿うように垂直になっていても良い。すなわち、折り曲げ線及び切り込み部７が物品を嵌装していても良く、フラップ２に加えられる剛性力によって物品９の横方向への動きを防止する。このとき折り曲げ部３は、物品９の横方向への動き防止の補強的な役割をする。
【００２２】
すなわち、折り曲げ部３を有する場合には、フラップ２及び折り曲げ部３の２つにより２段階で物品９の形状に合わせることが可能であり、より多くの種類の物品９を同一形状の包装容器１に収納することが可能となる。
【００２３】
上記のように、本発明の包装容器１は、ダンボール紙若しくは板紙等の一枚の紙を組み立てて形成され、フラップ２に切り込み部及び折り曲げ部を有することにより、物品９の緩衝及び固定用に別途具材を作成することなく、物品９を嵌装することが可能となる。
また、フラップ２及び折り曲げ部３が、物品９の形状に合う位置で物品９を拘持することにより、様々な種類の形状を有する物品９に対しても、同一形状の包装容器１で対応することが可能となり、製造コスト及び製造効率面に優れている。
【図面の簡単な説明】
【００２４】
【図１】（ａ）本発明に係る包装容器の展開図の一例である。                            （ｂ）（ａ）を組み立てた状態の包装容器の一例である。
【図２】本発明に係る包装容器のフラップ形状の例である。
【図３】（ａ）本発明に係る包装容器のフラップ形状の一例である。                      （ｂ）（ａ）のフラップ使用時の包装容器に物品を収納した上面図である。        （ｃ）（ｂ）における縦断正面図である。
【図４】（ａ）本発明に係る包装容器のフラップ形状の一例である。                      （ｂ）（ａ）のフラップ使用時の包装容器に物品を収納した上面図である。        （ｃ）（ｂ）における縦断正面図である。
【符号の説明】
【００２５】
１  包装容器
２  フラップ
３  折り曲げ部
４  蓋板
５  底板
６  側板
７  切り込み部
８  切り抜き部
９  物品
【図１】
2010018308.tif 000003
【図２】
2010018308.tif 000004
【図３】
2010018308.tif 000005
【図４】
2010018308.tif 000006